(57)【特許請求の範囲】
【請求項１】
引戸１側に取り付けられたラッチ係合部材３と、このラッチ係合部材３に摺接状態で係脱するラッチ５０を含む施解錠機構Ｘを内蔵し、かつ、戸枠側に設けられた錠ケース７とから成る引戸用電気錠に於いて、前記施解錠機構Ｘは、駆動源３０の作動杆３１の伸縮動により回動するように錠ケース７に軸支された回動ロック部材３５と、この回動ロック部材３５にロックされるように錠ケース７に回転及び上下動可能に軸支されていると共にラッチ用復帰バネ７９で常時進出方向に付勢された前記ラッチ５０と、引戸を開いた場合にはラッチと共に錠ケース７から進出する反面、引戸を完全に閉じる方向へ移動させると、ラッチを介してかつ復帰バネ７７のバネ力に抗して錠ケース７内へと引っ込む従動体７０と、この従動体７０及び前記駆動体としてのラッチ５０の進退動を利用し、引戸１が完全に閉じたことを検出するために錠ケース７内に配設された複数個の検出手段８０、８１とを備えている引戸用電気錠。
【請求項２】
請求項１に於いて、従動体７０は前後の壁７１を有し、ラッチ５０の支軸５９に支持されるように組み合わせられ、かつ、軸を介して錠ケース７の案内部１２に上下方向に案内されることを特徴とする引戸用電気錠。
【請求項３】
請求項１に於いて、ラッチ５０は、ラッチ係合部材３と係合する垂直係止面５１と、この垂直係止面５１の下端縁から後方へ連設して前記ラッチ係合部材と摺接するテーパー状摺接面５２と、このテーパー状摺接面５２と連設し、かつ、錠ケース７内の１つの検出手段８０と当接する突起状後壁５４と、錠ケースの案内部と係合する前後の側壁５７と、回動ロック部材３５と当接する当接部６１を有する上壁５５とを備えていることを特徴とする引戸用電気錠。
【請求項４】
請求項１に於いて、複数個の検出手段の中の一つの検出手段８０は、ラッチ５０の後方突起部５４に当接可能に設けられ、他の１つの検出手段８１は、従動体７０に臨むように錠ケース７のラッチ用貫通孔２２の付近に配設され、錠ケース７内に軸支された押圧片８２を介して従動体７０に接触していることを特徴とする引戸用電気錠。
【請求項５】
請求項１に於いて、ラッチ係合部材３は、引戸１の上框２に埋設的に取付けられた支持箱４と、この支持箱４に下端部５ａが上下方向にスライド可能に内装され、一方、支持箱から突出する上端部５ｂがラッチ５０に係止される係合片５と、この係合片５の突出量を任意に設定した後に該係合片５を前記支持箱４に固定する固定具６とから成ることを特徴とする引戸用電気錠。
【発明の詳細な説明】
【０００１】
【発明の属する技術分野】
本発明は引戸用電気錠に関する。本発明は、例えば特別養護老人ホームや病院などの引戸用電気錠に適する。
【０００２】
【従来の技術】
引戸用電気錠は実開昭５１−１８８９３号公報に一例が開示されている。この種の引戸用電気錠は、錠ケースを戸枠の上枠内に横設し、錠ケース内には引戸側に取り付けられたラッチ受け金具と係脱するラッチを含む施解錠機構が内蔵されている。
【０００３】
この実施例は、施解錠機構に駆動源としてのソレノイドを採用し、また施解錠信号を検出するために１個の検出手段が設けられているが、閉扉信号（ここでは「引戸が完全に閉じた信号」を意味する。）を取り出すための具体的な構成が示されていない。
【０００４】
ところで、特別養護老人ホームや病院では、天気の良い日などには、「風を入れたい」という理由で引戸を多少開くような場合がある。このような場合、閉扉信号を取り出すための検出手段を備えてない引戸用電気錠は、管理上から望ましくない。けだし、施解錠信号を検出する場合は必ず引戸が完全に閉じたことを条件としている訳ではなく、引戸が開いている場合に於いても、駆動源が作動すれば施解錠信号を検出することができるからである。それ故に、施解錠信号を検出する検出手段以外に閉扉信号を取り出す検出手段を錠ケースに設けることが要望されている。
【０００５】
しかして、一般に閉扉信号を取り出す場合、例えば磁気感応スイッチを掲げることができるが、戸枠の上枠側の錠ケース（特に錠ケースに内装される磁気感応スイッチ）と引戸側に取り付けられたラッチ用受け金具との間には必ず間隙或いは距離があるので、有効かつ確実な閉扉信号を取り出すのが困難である。
【０００６】
【発明が解決しようとする課題】
本発明は以上のような従来の要望点や閉扉信号の取り出し困難性に鑑み、第１の目的は引戸用電気錠に於いて、有効或いは確実な閉扉信号を取り出すことができることである。第２の目的は閉扉信号を検出するために複数個の検出手段並びにラッチ等を錠ケースに配設しても、錠ケースのコンパクト化の要望を満たすことができることである。第３の目的は駆動体としてのラッチの後退動により従動体としてのトリガが錠ケース内にスムースに引込むことである。なお、本発明の付随的な目的は、引戸側に取り付けられたラッチ係合部材の係合片の突出量を任意に設定することができることである。
【０００７】
【課題を解決するための手段】
本発明の引戸用電気錠は、引戸１側に取り付けられたラッチ係合部材３と、このラッチ係合部材３に摺接状態で係脱するラッチ５０を含む施解錠機構Ｘを内蔵し、かつ、戸枠側に設けられた錠ケース７とから成る引戸用電気錠に於いて、前記施解錠機構Ｘは、駆動源３０の作動杆３１の伸縮動により回動するように錠ケース７に軸支された回動ロック部材３５と、この回動ロック部材３５にロックされるように錠ケース７に回転及び上下動可能に軸支されていると共にラッチ用復帰バネ７９で常時進出方向に付勢された前記ラッチ５０と、引戸を開いた場合にはラッチと共に錠ケース７から進出する反面、引戸を完全に閉じる方向へ移動させると、ラッチを介してかつ復帰バネ７７のバネ力に抗して錠ケース７内へと引っ込む従動体７０と、この従動体７０及び前記駆動体としてのラッチ５０の進退動を利用し、引戸１が完全に閉じたことを検出するために錠ケース７内に配設された複数個の検出手段８０、８１とを備えている。
【０００８】
上記構成に於いて、従動体７０は前後の壁７１を有し、ラッチ５０の支軸５９に支持されるように組み合わせられ、かつ、軸を介して錠ケース７の案内部１２に上下方向に案内されることを特徴とする。
【０００９】
【発明の実施の形態】
以下、図面に示す本発明の実施の形態を、引戸１の上端部或いは上框２に取り付けた受け金具手段としてのラッチ係合部材３と、このラッチ係合部材３の係合片５に係脱するラッチ５０を含む電気錠の施解錠機構Ｘを内蔵し、かつ、望ましくは戸枠の上枠Ｆ内に設けられた錠ケース７との関係で説明する。
【００１０】
まずラッチ係合部材３について説明する。このラッチ係合部材３は、図１乃至図３で示すように引戸１の上框２に埋設的に取付けられる係合片調整用支持箱４と、この支持箱４に下端部５ａが上下方向にスライド可能に内装され、一方、支持箱から突出する上端部５ｂが後述するラッチに係止される係合片５と、この係合片５の突出量を任意に設定した後に該係合片５を前記支持箱４に固定する固定具６とから成る。
【００１１】
しかして、図４で示すように前記係合片調整用支持箱４の上端部には固着具としてのオネジ８用の貫通孔を有するフランジ部９が形成され、このフランジ部９に下方には筒状の矩形収納部１０が連設している。そして、前記矩形収納部１０の中央部には、縦方向に調整長孔１０ａが形成されている。一方、前記係合片５は全体として板状の小片であり、上端部５ｂ寄りの部位から下端部５ａに至る左右の側壁部５ｃ、５ｄは直角方向に折曲し、互いに対向している。そして、係合片５の下端部５ａ寄りの部位には、前記調整長孔１０ａと符合する固定具６のボルト６ａ用貫通小孔５ｅが形成されている。なお、６ｂは座金、６ｃはボルト６ａに螺着するナットであり、これらは固定具６の一部を構成する。
【００１２】
次に施解錠機構Ｘを内蔵する錠ケース７について説明する。錠ケース７は長箱状に形成され、上述したように戸枠の上枠Ｆ内に横設されている。ここで図３を基準にすると、７ａは前壁、７ｂは後壁、７ｃは左側壁、７ｄは右側壁、７ｅは上壁、７ｆは底壁である。
【００１３】
ところで、図１又は図３で示すように前壁７ａ及び後壁７ｂには、それぞれ対向する複数個の案内部としての垂直ガイド長孔１１、１２、１３や軸孔１４、１５が適宜に形成されている。
【００１４】
しかして、１１は錠ケース７の右側壁７ｄ寄りの部位に形成されたやや弧状の或いは弧状部を有する第１垂直ガイド長孔で、この第１垂直ガイド長孔１１にはラッチ５０を案内するガイド部材としての横軸１６が横架されている。また１２は第１垂直ガイド長孔の左隣に位置する第２垂直ガイト長孔で、この第２垂直ガイド長孔１２には駆動体としてのラッチ５０と共に錠ケース７内に後退動する従動体（トリガ）７０の短軸（突起軸）７６が係合する。
【００１５】
また１３は第２垂直ガイド長孔１２の左隣に位置する第３垂直ガイド長孔で、この第３垂直ガイト長孔１３には横軸と相俟ってラッチ５０を上下方向に案内するラッチ突起軸６０が係合する。また１４は錠ケース７の中央部寄りの部位に形成された第１軸孔で、この第１軸孔１４には回動ロック部材を枢支する軸（突起軸又は横軸）１７が係合する。さらに、１５は第１軸孔１４と第３垂直ガイド長孔１３との間に位置する第２軸孔で、この第２軸孔には従動体（トリガー）の後退動により検出手段を「ＯＮ」する押圧片８２を枢支する支軸１８が係合する。
【００１６】
なお、前記底壁７ｆの下面には錠ケース７の一部を形成する長板状の取付け板１９が固定的に設けられ、この取付け板１９には固着具２０を介してフロント板２１が一体的に取付けられている。このフロント板２１及び取付け板１９の両端部は錠ケース７の左右の側壁７ｃ、７ｄからそれぞれ突出し、かつ、各板の右端部よりの部位には前記垂直ガイド長孔１１、１２、１４のそれぞれ位置を考慮してラッチ用貫通孔２２が形成されている。
【００１７】
次に施解錠機構Ｘを構成する各部材について説明する。この施解錠機構Ｘは、回転及び上下方向に移動可能な駆動体（ラッチ）５０及び該駆動体の後退動により錠ケース７内に引込められる従動体（トリガ）７０の移動を利用し、本実施例では引戸１が完全に閉じたことを検出する複数個の信号検出手段８０、８１を有している。
【００１８】
まず図５で示すように、３０は駆動源の一例としてのソレノイドである。このソレノイド３０は錠ケース７内に横設され、かつ、図示しない接続コードを介して制御装置に接続している。３１はソレノイド３０の作動杆で、この作動杆３１は水平方向に伸縮動するが、本実施例では通電時に収縮し、一方、非通電時は伸張する。そして、作動杆３１の突出先端部には駆動ピン３３が作動杆と交差する水平方向に突出している。
【００１９】
次に３５は作動杆３１の伸縮動により回動するように錠ケース７に軸１７を介して軸支された回動ロック部材である。回動ロック部材３５は、前記駆動ピン３３を介し、作動杆３１が収縮するとラッチの回転を阻止するロック方向（時計方向）に、一方、作動杆３１が伸張するとラッチの回転を許容するロック解除方向（反時計方向）にそれぞれ回転する。この回動ロック部材３５は、図５を基準にすると、基本的には前後一対の対向軸受板３６と、この前後一対の対向軸受板３６を作動杆３１の上方の位置で連結する連結板３７とから成る。
【００２０】
しかして、前記対向軸受板３６の下端部は作動杆３１と外嵌合するように下方に延び、かつ、駆動ピン３３と係合する逆Ｕ字状り切欠部３８を有する。また対向軸受板３６の上端部の左側には連結板の一部である突起部３９が形成され、この突起部３９は上壁７ｅの内壁面に固定的に配設された第１検出手段４０とプッシュ式に接触可能である。この第１検出手段４０はソレノイド３０の作動杆３１の伸縮動により回動ロック部材３５が回動すると、施解錠機構Ｘの施解錠信号を検出する。
【００２１】
また対向軸受板３６の右上端部寄りの部位にはやや幅広のロックアーム部４１が突出形成され、このロックアーム部４１には錠ケース７内に位置するラッチの垂直当接面６１ａと当接する水平ローラ４２が軸支されている。そして、回動ロック部材３５は軸１７に巻装されたロック解除用バネ４４により、常時ロック解除の方向（反時計方向）に付勢されている。
【００２２】
次に錠ケース７のラッチ用貫通孔２２から進退動可能に突出するラッチ５０について説明する。本実施例に於いては、ラッチ５０は従動体（トリガ）７０との関係では駆動体としの機能を発揮する。また引戸１の係合片５との関係ではストッパーとしの機能を発揮する。さらに、複数個の検出手段８０、８１との関係では引戸１が完全に閉じたか否かをの信号を検出するために利用されている。
【００２３】
そこで、このラッチ５０を図３、図６、図１０等に基づいて説明すると、５１は錠ケース７から突出する垂直係止面である。この垂直係止面５１はクランク状の前後の壁７１、７１を有する従動体７０の中央下部側垂直面７２に面接触すると共に、引戸側の係合片５の上端部５ｂと係合可能である。
【００２４】
５２は垂直係止面５１の下端縁から後方へ連設するテーパー状摺接面である。このテーパー状摺接面５２は引戸側の係合片５と摺接する。５３はテーパー状摺接面５２にやや弧状に連設すると共に、ラッチ用貫通孔２２に遊嵌合する後方連設部である。５４はこの後方連設部５３と錠ケース７内に常時位置する上壁５５にそれぞれ連設する湾曲或いは突起部で、この突起部５４は、本実施例では後述する前壁の一部を形成し、検知手段８０の可動接片８０ａと当接している。なお、この突起部５４の形状は幅広に形成するなど任意に設計変更可能である。
【００２５】
５６はテーパー状の壁で、このテーパー状壁５６には横方向に軸筒部５６ａが設けられている。
【００２６】
５７は全体としてピストル形状に形成された前後の側壁で、この前後の側壁５７には、前述した錠ケース７の第１垂直ガイド長孔１１と係合する横軸１６用軸孔５８、従動体７０の中央下部側垂直面７２と交差方向に連設する水平面７３を受ける突起状の短い支軸５９、錠ケース７の第３垂直ガイド長孔１３と係合する突起軸６０がそれぞれ適宜に形成されている。
【００２７】
６１は前記上壁５５の先端部に突起状に形成され、かつ、回動ロック部材３５の水平ローラ４２と当接する垂直当接面６１ａを有する当接部である。
【００２８】
次に引戸１を完全に閉じた場合にラッチ５０の後退動により錠ケース内に後退させられる反面、引戸１を開いた場合にバネ部材７７のバネ力により初期位置へと自動的に復帰する従動体７０について説明する。
【００２９】
この従動体７０は、図８、図１０で示すようにクランク状のイメージを彷彿させる前後の壁７１と、この前後の壁７１の下部側の先端縁を連結する垂直の連結板７４と、ラッチ５０の垂直係止面５１と摺接する底壁７５とから成る。
【００３０】
しかして、前記前後の壁７１の上部側には錠ケース７の第２垂直ガイド長孔１２と係合する突起状の短軸７６が設けられ、一方、前後の壁７１の下部側には従動体用復帰バネ７７を支持する支持バー７８が横方向に内設されている。なお、前記従動体用復帰バネ７７の一端部は支軸１８に直接又は間接的に当たり、一方、その他端部は従動体７０の底壁内面に圧接している。また７９は錠ケース７内の右側壁７ｄ寄りの部位に固定棒７９ａを介して設けられたラッチ用復帰バネで、このラッチ用復帰バネ７９の一端部はラッチの横軸１６に当たり、その他端部は錠ケース７の内壁面に圧接している。
【００３１】
次に駆動体（ラッチ）５０及び従動体（トリガ）７０の移動を利用して引戸１が完全に閉じたことを検出する複数個の検出手段８０、８１について説明する。図３を見ると、この実施例では合計３個の検出手段４０、８０、８１が錠ケース７内に固定的に配設されているが、第１検出手段４０は前述したように施解錠機構Ｘの施解錠信号を検出するためのものであるのに対し、第２検出手段８０及び第３検出手段８１は引戸１が完全に閉じたか否かの信号を検出するためのものである。
【００３２】
しかして、前記第２検出手段８０は、本実施例ではラッチ５０の突起状後壁５４と当接する可動接片８０ａを有し、錠ケース７内の右側壁７ｄ寄りの部位に位置している。この第２検出手段８０は、図３で示すようにラッチ５０がラッチ用復帰バネ７９のバネ力により錠ケース７から初期位置に出ている場合には「ＯＮ」となり、一方、ラッチ５０が、矢印Ａ方向（引戸の閉じる方向）に移動する引戸側の係合片５により、復帰バネ７９のバネ力に抗して錠ケース７内に後退動した場合には「ＯＦＦ」と成る。なお、前記可動接片８０ａは基端部が検知器本体に枢支され揺動可能である。
【００３３】
また前記第３検出手段８１は、本実施例では従動体７０の連結板７４と摺接する押圧片８２の折曲した親指状の押圧部８２ａと当接するバー状可動子８１ａを有し、錠ケース７内の略中央部に位置している。この第３検出手段８１は従動体７０がラッチ５０の後退動を介して錠ケース７内に後退すると、前記押圧片８２を介して「ＯＮ」となり、一方、図３（引戸が開放した場合の図）で示すように従動体用復帰バネ７７のバネ力により初期位置に復帰すると「ＯＦＦ」と成る。
【００３４】
なお、水平方向に移動可能な前記バー状可動子８１ａは、検知器本体に内装されたバネにより常時摺動体７０の方向に付勢され、その突出頭部は押圧片８２の押圧部８２ａと当接している。
【００３５】
上記構成に於て、まず図１２はソレノイド３０が非通電時の状態の場合に於いて、引戸１を閉じた状態から開放方向Ｂへ移動させた場合のラッチ５０の説明図である。ソレノイド３０が非通電時の状態の場合は、停電時はもちろんであるが、例えば火災など非常時の場合に遠隔制御装置の制御によりなされる。この時ソレノイド３０の作動杆３１は回動ロック部材３５をロック解除の方向へ付勢するバネ４４のバネ力により伸張する。すなわち、回動ロック部材３５がバネ４４のバネ力により軸１７を支点に反時計方向に回転すると、作動杆３１が伸張すると共に、回動ロック部材３５の水平ローラ（軸）４２がラッチ５０の当接部６１から外れ、これによりラッチ５０は回動ロック部材３５から開放される。
【００３６】
そこで、図１２で示すように引戸１を開放方向Ｂに移動させると、係合片５の上端部５ｂがラッチの垂直係止面５１に当接しているので、ラッチ５０は突起軸６０を中心に反時計方向に回転する。この時ラッチ５０は復帰バネ７９のバネ力に抗して回転する。そして、ラッチ５０が係合片５の移動に伴い所定量回転すると、ラッチ５０と係合片５の係合状態が解消し、したがって、引戸１を完全に開放することができる。
【００３７】
この場合第２検出手段８０は、ラッチ５０の突起部或いは設計如何によっては後壁５４が第２検出手段８０から一旦離れることにより「ＯＦＦ」となるものの、ラッチ５０が直ちにラッチ用復帰バネ７９のバネ力により初期位置へと戻るので「ＯＮ」となるのに対し、第３検出手段８１は、従動体７０が係合片５からの開放に伴いその復帰バネ７７のバネ力により初期位置に復帰するので「ＯＦＦ」と成る。
【００３８】
したがって、このような場合第２検出手段８０と第３検出手段８１との組み合わせから成る両方の検出信号を、引戸１が開いていることとして取り扱うことができる。
【００３９】
次に図１３は引戸１がある程度開いている場合に於いて、ソレノイド３０が通電状態に成った場合の説明図である。ソレノイド３０が通電状態になると、本発明の施解錠機構Ｘのラッチ５０は引戸１の開く方向Ｂの力に対しては完全にロックされる反面、引戸１を閉じる方向Ａに対しては後退動可能である。しかして、ソレノイド３０が通電状態になると、作動杆３１は回動ロック部材３５を付勢するバネ４４のバネ力に抗して収縮する。この作動杆３１が収縮すると、回動ロック部材３５は軸１７を支点に時計方向に回転する。そうすると、回動ロック部材３５の水平ローラ４２がラッチ５０の当接部６１に当接し、これによりラッチ５０の回転は阻止される。
【００４０】
そこで、引戸１を完全に閉めようとし、図１４で示すように引戸１を開放位置から閉鎖方向Ａに移動させると、まず引戸１側の係合片５の上端部５ｂがラッチ５０のテーパー状摺接面５２に当たり、該ラッチ５０は錠ケース７内へと後退動する。この時ラッチ５０は複数個の垂直ガイド孔１１、１３に案内され、かつ、復帰バネ７９のバネ力に抗してそのままストレートに後退する。この時第２検出手段８０は、ラッチ５０の後退動により一旦「ＯＦＦ」の状態になる。一方、従動体７０はラッチ５０の支軸５９により錠ケース７内に引き込まれる。この時従動体７０は短軸７６を介して錠ケース７の第２垂直ガイド長孔１２に案内され、かつ、復帰バネ７７のバネ力に抗してラッチ５０と共にそのままストレートに後退する。そうすると、第３検出手段８１は、押圧片８２を介して従動体７０の後退動により「ＯＮ」の状態になる。
【００４１】
次に引戸１が完全に閉まると、従動体７０は図１５、図１、図２で示すように係合片５の上端部５ｂで支持される反面、ラッチ５０は係合片５がラッチ５０の摺接面５２を通過するので、復帰バネ７９により初期位置へと戻る。そうすると、第２検出手段８０は、ラッチ５０の進出動により「ＯＮ」の状態になる。したがって、このような場合第２検出手段８０の「ＯＮ信号」と第３検出手段８１の  「ＯＮ信号」との組合わせから成る検出信号を、引戸１が完全に閉じていることとして取り扱うことができる。
【００４２】
【実施例】
まず本発明の実施例に於いては、第１乃至第３検出手段４０、８０、８１の一例としては、マイクロスイッチが使用される。錠ケース７にはラッチ５０を上下方向に案内する案内部は垂直ガイド溝であっても良い。またラッチ５０側に錠ケースの内壁と直接又は間接的にスライドする１つのガイド部を形成するならば、ラッチ５０は錠ケース７に少なくとも１個以上の案内部１３を介して回転及び上下動可能に軸支されていても良い。
【００４３】
また従動体７０の後退動を検出する第３検出手段８１は押圧片８２を介して信号を検知しているが、必ずしも前記押圧片８２を間接的に使用する必要はなく、たとえばラッチ側の第２検出手段８０と同様に可動接片を有する検出手段を用い、従動体７０の後退動の信号を直接検出しても良い。また水平方向に移動可能なバー状可動子８１ａの突出頭部をキノコ状或いは円錐状に形成することにより、押圧片８２を省いても良い。
【００４４】
さらに、ラッチ係合部材３は係合片５を有するが、この係合片５は必ずしも調整可能である必要がなく、もし、本実施例のように調整可能にするならば、係合片に調整垂直長孔を形成する等適宜に設計変更することは可能である。
【００４５】
【発明の効果】
以上の説明から明らかなように、本発明にあっては次に列挙するような効果がある。
（１）錠ケース７内に複数個の検出手段８０、８１を配設し、ラッチ係合部材３と摺接するラッチ５０の進退動及び該ラッチにより錠ケース内に引込まれる従動体７０の後退動を利用し、引戸１が完全に閉じたことを検出することができる。したがって、特別養護老人ホームや病院に於ける管理上の問題点を解消することができる。
（２）引戸用電気錠に於いて、有効或いは確実な閉扉信号を取り出すことができる。
（３）請求項２記載の発明は、１の部材（ラッチ）の進退動のみで信号を検出することができる。
（４）請求項３記載の発明は、従動体７０は前後の壁７１を有し、ラッチ５０に該ラッチの前後の側壁５７に設けられた支軸５９に支持されるように組み合わせられているので、閉扉信号を検出するために複数個の検出手段を錠ケースに配設しても、錠ケースのコンパクト化の要望を満たすことができる。
（５）請求項４記載の発明は、従動体７０の後退動の信号を確実に検出することができる。
（６）請求項５記載の発明は、引戸側に取り付けられたラッチ係合部材の係合片の突出量を任意に設定することができる。
【図面の簡単な説明】
図１ないし図１５は本発明の実施の形態を説明するための各説明図。
【図１】引戸を完全に閉じた状態に於いて、正面から見た場合の説明図。
【図２】図１に於いて、右側面からみた場合の説明図。
【図３】主要部（施解錠機構Ｘ）の説明図。
【図４】主要部（ラッチ係合部材）の斜視図。
【図５】要部（駆動源、回動ロック部材）の分解斜視図。
【図６】ラッチの斜視図。
【図７】ラッチの概略説明図（右側面から見た図）。
【図８】従動体の正面から見た場合の説明図。
【図９】従動体の右側面から見た場合の説明図。
【図１０】各部材（錠ケース、ラッチ、従動体、係合片など）の関係を示す説明図。
【図１１】図３に於ける主要部の一部拡大説明図。
【図１２】ラッチが回動ロック部材から開放され、引戸を開放方向へ引いた場合に於けるラッチの動きを示す概略説明図。
【図１３】引戸が開放し、かつ、ソレノイドが通電時の説明図。
【図１４】引戸が閉じる方向へ移動している場合に於いて、ラッチ、従動体の動きを示す概略説明図。
【図１５】施錠状態であり、かつ、引戸を完全に閉じた状態を示す概略説明図。
【符号の説明】
１…引戸、２…上框、３…ラッチ係合部材、４…支持箱、５…係合片、６…固定具、７…錠ケース、１１、１２、１３…垂直ガイド長孔、１４、１５、５８…軸孔、１６…横軸、１７…軸、１８…支軸、２１…フロント板、Ｘ…施解錠機構、３０…駆動源、３１…作動杆、３３…駆動ピン、３５…回動ロック部材、３６…対向軸受板、３７…垂直連結板、３８…切欠部、３９…突起部、４０…第１検出手段、４１…ロックアーム部、４２…水平ローラ、５０…ラッチ、５１…垂直係止面、５２…摺接面、５４…突起状後壁、５５…上壁、５６…切欠部、５７…前後の側壁、６０…突起軸、６１…当接部、７０…従動体、７１…前後の壁、７３…水平面、７４…連結板、７６…短軸、７７、７９…復帰バネ、７８…支持バー、８０…第２検出手段、８１…第３検出手段、８２…押圧片、Ａ…閉じる方向、Ｂ…開く方向。
【図１】
0003868029.tif 000002
【図２】
0003868029.tif 000003
【図３】
0003868029.tif 000004
【図４】
0003868029.tif 000005
【図５】
0003868029.tif 000006
【図６】
0003868029.tif 000007
【図７】
0003868029.tif 000008
【図８】
0003868029.tif 000009
【図９】
0003868029.tif 000010
【図１０】
0003868029.tif 000011
【図１１】
0003868029.tif 000012
【図１２】
0003868029.tif 000013
【図１３】
0003868029.tif 000014
【図１４】
0003868029.tif 000015
【図１５】
0003868029.tif 000016